(57)【特許請求の範囲】
【請求項１】
凹版印刷法で作られ、第１インキ層厚さ（Ｄａ）を有する少なくとも１個の第１インキ域（１２ａ）と、該第１インキ域に隣接し、前記第１インキ層厚さ（Ｄａ）と異なる第２インキ層厚さ（Ｄｂ）を有する少なくとも１個の第２インキ域（１２ｂ）とを備えた、印刷画像を有するデータメディア（１０）において、
前記第１および第２インキ域（１２ａ、１２ｂ）が互いに直接隣接し且つ印刷板の、上縁がとがっている分割縁によって配置された、裸眼では見えない境界線により互いに分離されており、かつ前記両インキ域（１２ａ、１２ｂ）のインキ層の厚さが前記境界線の領域で最小値を有することを特徴とするデータメディア。
【請求項２】
前記最小値はインキ層厚さが零であることを特徴とする請求項１記載のデータメディア。
【請求項３】
前記第１および第２インキ域（１２ａ、１２ｂ）が線状または平面状であることを特徴とする請求項１または２記載のデータメディア。
【請求項４】
前記第１インキ域（１２ａ）および／または前記第２インキ域（１２ｂ）が模様または図形記号または文字を表すことを特徴とする請求項１から３のいずれか１項記載のデータメディア。
【請求項５】
印刷版面（２）を有し、該印刷版面（２）に第１彫刻み深さ（ｔａ）を有する少なくとも１個の第１彫刻み域（３ａ）と、該第１彫刻み域（３ａ）に隣接し、前記第１彫刻み深さ（ｔａ）と異なる第２彫刻み深さ（ｔｂ）を有する少なくとも１個の第２彫刻み域（３ｂ）とが彫り刻まれている、互いに隣接したインキ域（１２ａ、１２ｂ）を印刷するための印刷版（１）において、
先がとがっており、且つ前記印刷版面（２）と同じ高さの頂点を有する上縁（６）を持った分離縁（５）が前記第１および第２の彫刻み域（３ａ、３ｂ）の間に配置されていることを特徴とする印刷版。
【請求項６】
前記分離縁（５）が前記印刷版面（２）への垂線と前記彫刻み域の側面との間で１５度ないし６０度の範囲内の角（α）を有することを特徴とする請求項５記載の印刷版。
【請求項７】
前記第１彫刻み深さ（ｔａ）および前記第２彫刻み深さ（ｔｂ）が５マイクロメートルないし２５０マイクロメートルの範囲内にあることを特徴とする請求項５または６記載の印刷版。
【請求項８】
前記第１彫刻み深さ（ｔａ）および前記第２彫刻み深さ（ｔｂ）が５マイクロメートルないし１５０マイクロメートルの範囲内にあることを特徴とする請求項７記載の印刷版。
【請求項９】
前記第１および第２彫刻み域（３ａ、３ｂ）が線状または平面状のくぼみによって形成されていることを特徴とする請求項５から８のいずれか１項記載の印刷版。
【請求項１０】
前記第１彫刻み域（３ａ）および／または前記第２彫刻み域（３ｂ）が模様または図形記号または文字を形成することを特徴とする請求項５から９のいずれか１項記載の印刷版。
【請求項１１】
前記第１彫刻み域（３ａ）および／または前記第２彫刻み域（３ｂ）が凹凸地模様のある底面（７ｂ）を有することを特徴とする請求項５から１０のいずれか１項記載の印刷版。
【請求項１２】
請求項５から１１のいずれか１項記載の印刷版を使用して、異なるインキ層厚（Ｄａ、Ｄｂ）を有する互いに隣接したインキ域（１２ａ、１２ｂ）を印刷することを特徴とする凹版印刷法。
【請求項１３】
異なるインキ層厚（Ｄａ、Ｄｂ）を有する互いに隣接したインキ域（１２ａ、１２ｂ）を印刷するための印刷版（１）の製造方法において、
印刷版面（２）を有する印刷版（１）を準備する工程と、
第１彫刻み深さ（ｔａ）を有する第１彫刻み域（３ａ）と、第２彫刻み深さ（ｔｂ）を有する第２彫刻み域（３ｂ）とを彫り刻み、先がとがっていて、且つ前記印刷版面（２）と同じ高さの頂点を有する上縁（６）を備えた分離縁（５）を前記第１彫刻み域（３ａ）と前記第２彫刻み域（３ｂ）との間に残すようにする工程と、
を含むことを特徴とする印刷版の製造方法。
【請求項１４】
前記第１および第２彫刻み域（３ａ、３ｂ）を線状または平面状のくぼみによって形成することを特徴とする請求項１３記載の方法。
【請求項１５】
前記分離縁（５）を、前記印刷版面への垂線と前記彫刻み域の側面との間で１５度ないし６０度の範囲内の角（α）をもって形成することを特徴とする請求項１３または１４記載の方法。
【請求項１６】
前記印刷版面への垂線と前記彫刻み域の側面との間で１５度ないし６０度の範囲内の角（α）を持った彫刻み工具を彫刻み作業に使用することを特徴とする請求項１５記載の方法。
【請求項１７】
先のとがった回転式彫刻刀を彫刻み作業に使用することを特徴とする請求項１６記載の方法。
【請求項１８】
前記彫刻み深さ（ｔａ、ｔｂ）を５マイクロメートルないし２５０マイクロメートルの範囲内に設定することを特徴とする請求項１３から１７のいずれか１項記載の方法。
【請求項１９】
彫刻み深さ（ｔａ、ｔｂ）を５マイクロメートルないし１５０マイクロメートルの範囲内にすることを特徴とする請求項１８記載の方法。
【請求項２０】
凹凸地模様のある底面（７ｂ）を第１彫刻み域（３ａ）および／または第２彫刻み域（３ｂ）に創造することを特徴とする請求項１３から１９のいずれか１項記載の方法。
【請求項２１】
数個の互いに隣接した第１彫刻み域（３ａ）と１個またはそれ以上の互いに隣接した第２彫刻み域（３ｂ）とを前記印刷版面（２）に彫り刻むことを特徴とする請求項１３から２０のいずれか１項記載の方法。
【請求項２２】
前記第１彫刻み域（３ａ）および／または前記第２彫刻み域（３ｂ）を模様または図形記号または文字の形状に配置することを特徴とする請求項１３から２１のいずれか１項記載の方法。
【発明の詳細な説明】
【０００１】
【発明の属する技術分野】
本発明は凹版印刷法で作られ、異なるインキ層厚さを有する互いに隣接したインキ域を持った印刷画像を有するデータメディアと、互いに隣接したインキ域を印刷するための凹版印刷法と、この凹版印刷法を実施するための印刷版、および印刷版の製造方法に関する。
【０００２】
【従来の技術】
凹版印刷の特徴は印刷域すなわちインキ転写域において印刷版の表面材料が適当な彫刻み工具によりまたはエッチング法により除去されることである。インキは仕上げられた印刷版に施され且つくぼみの中のみにインキが残るよう余分のインキはドクターブレードやワイピングシリンダの手段により実際の印刷工程の前に除去される。次に基板（通常は紙）が印刷版に押し付けられ、インキがこの基板の表面に付着したまま残り且つここに印刷画像を形成するようになっている。半透明のインキが使用され、インキの付着厚さが色合いを決定する。
【０００３】
従来のグラビア印刷法では、輪転グラビア印刷と凹版印刷との間に差異が生じた。輪転グラビア印刷では、印刷版が例えば電子ビーム、レーザビームまたは彫刻刀の手段により作られる。グラビア版の特徴は、印刷像の濃淡または色の諧調が、色々の密度、大きさ及び／または深さで印刷版に規則正しく配置されている凹部（セル）により作られることである。
【０００４】
凹版印刷法、特に鋼版による凹版印刷法は、データメディア、特に例えば銀行券のような有価証券の印刷に重要な技術である。例えばオフセット印刷法のような従来の印刷法と比較して、凹版印刷法はメディア上に非常に厚いインキ層を付着させることができる。凹版印刷法で作られる比較的厚いインキ層は、しろうとが触感により単純で確実な特徴として容易に確認できる。この確実な特徴は簡単なコピーでは再現できないので、凹版印刷法が簡単な偽造に対しセキュリティを与えることができる。
【０００５】
凹版印刷法は印刷像の作成のため印刷版に線状のくぼみが形成される点に特徴がある。機械的に作られる凹版印刷版では、彫刻み工具が通常円錐形であるため、彫刻み深さが増大すれば幅広い線ができる。さらに、彫刻み線のインキ量、したがって印刷線の不透明度が線の深さの増大につれて増大する。凹版印刷の印刷版をエッチングするため、該印刷版の非印刷部が不活性ラッカーで覆われる。それに続くエッチング工程において、印刷版の露出面に彫刻みが行われ、彫刻み線の深さおよび幅は特にエッチング時間に応じて異なる。
【０００６】
凹版印刷版を複製可能な機械的方法で製造する工程が国際特許出願公開第WO97/48555号により公知である。そのために、線画オリジナル上の線が記録され且つすべての線の領域（範囲）が正確に決定される。彫刻み工具例えば回転式彫刻刀またはレーザビームにより、この領域の外郭が彫刻され、その領域の周囲に明確な輪郭を形成する。次に、この領域の輪郭範囲が同一または別の彫刻み工具により除去され、線全体が線画オリジナルに従って正確に彫刻まれる。彫刻工具の形状と運動に応じて除去領域の底面に凹凸模様が形成され、この凹凸地模様の底面が印刷インキの貯留所となる。
【０００７】
【発明が解決しようとする課題】
また、第１の彫刻み域内に、より彫刻み深さの深い第２域を彫刻して、インキの施工厚さを異ならせることにより、印刷像中に異なる彩度を持った二つの互いに隣接した領域を生じさせることができる。しかし、印刷工程後に、インキを施した領域内のインキが互いに移動し合ってインキの厚さの違いが不鮮明となり、その結果印刷画像の中のインキ域間に鮮明な視覚的分離を発生しない、よって繊細な画像構造が再現されない。
【０００８】
したがって、本発明の目的は、明瞭に境界を判別できる互いに隣接したインキ域を凹版印刷法により作る方法を提供することにある。
【０００９】
【課題を解決するための手段】
この目的は本発明の特許請求の範囲の独立項に記載の特徴により達成される。また、本発明の進展がこれら従属項の主題である。
【００１０】
互いに隣接したインキ域を印刷版表面に作るため、インキ域に指定された印刷版の彫刻み域が、印刷版表面のレベルにおいて先端がとがっている分離縁により互いに分離される点が非常に重要である。この形式の印刷版により銀行券のようなデータメディアを印刷する場合、境界域が最小量となっている互いに隣接したインキ域が作られる。
【００１１】
理想的な場合、インキ域間の境界線におけるインキ層の厚さはゼロである。しかし、互いに隣接するインキ域内の印刷インキが境界領域で直接的に連結していれば、インキ層の厚さはゼロより僅かに大きい。このことは前記分離縁の側面が急峻であり、且つフランク角が小さい場合に特に顕著である。分離縁の側面が平らになるほどゆっくりと境界領域におけるインキ層の厚さがインキ層厚の最小値に向かう。このようにして、例えば拡大鏡で拡大した場合のみに気づくことができる非常に繊細な明るい境界線が隣接するインキ域間に作られ、これが通常の観察では隠れて見えない付加的なセキュリティ特性となる。
【００１２】
本発明の方法によれば、第１に凹版印刷法を使用して、層の厚さが異なり、相互に混入せず且つ互いに明瞭に範囲が決められている互いに隣接したインキ層を作ることができる。
【００１３】
この方法で、同一の印刷インキを使用して、彫刻み深さに応じて異なる色合いを作ることができる。市販品として入手できる凹版印刷インキを使用して５ないし６０マイクロメートルの深さに彫り刻むことにより、半透明の色彩観をもったインキ層にすることができる。この点について、通常明るい色合いは暗い色合いよりもさらに強く半透明となる。これに反して６０ないし１００マイクロメートルの深さに彫刻むことにより一層不透明な色彩観のあるインキ層ができる。よって、例えば３種類の異なる半透明のインキを例えば２種類の彫刻み深さと組み合わせて使用することにより、単一の印刷工程により６種類の異なる色合いを作り出すことができる。約１００マイクロメートル以上の彫刻み深さにすれば、このように本発明の印刷版を使用して印刷書類に作り出されたインキ層は、印刷書類の視覚上の色彩感覚ばかりでなく触感をも狙いとおりに調節することができる。
【００１４】
【発明の実施の形態】
本発明を図面を参照してさらに詳細に説明する。図面は原理を説明する概略図であり、特にインキ層の厚さに関し正確に描かれていない。
【００１５】
図１は彫刻み深さｔａを有する第１彫刻み域３ａと、彫刻み深さｔｂを有する第２彫刻み域３ｂとが彫り刻んである印刷版面２を有する印刷版１の断面を示す。これら２個の彫刻み域３ａ、３ｂは印刷版面２のレベルにおいて互いに隣接しており、且つ彫刻み域３ａ、３ｂは印刷版面２のレベルで上縁６のとがっている分離縁５により互いに分離されている。印刷版１を、上縁６が印刷版面２のレベルより僅かに、すなわち数マイクロメートル低くなるように作ることもできる。また、彫刻み域３ａ、３ｂの側面は、同時に分離縁５の側面を形成し、且つ上縁６への垂線に対するフランク角を形成する。図示の実施例では両方のフランク角は同一であるから、図１では分離縁５の右側面のフランク角αのみが図示されている。しかし、分離縁５の両方のフランク角を等しくしなくても良い。フランク角は１５度ないし６０度の範囲内にあり、なるべくは３０度ないし５０度の範囲にあるのがよい。
【００１６】
比較試験により、好適なフランク角の範囲を３０度ないし５０度にした印刷版が優秀な印刷性能を有することが判明した。この印刷性能の中に、印刷された画像の縁が良好な鮮鋭度を有すること、および印刷物の印刷域の縁を途切れさせる原因となるインキの飛散を減少させることを含んでいる。
【００１７】
彫刻み域３ａ、３ｂの底面７ａ、７ｂは平坦な底面（７ａ）または凹凸地模様のある底面（７ｂ）である。この凹凸地模様は彫刻み底面に印刷インキを良好に保持できるので好都合である。また、彫刻み域３ａ、３ｂは、底面７ａ、７ｂを持たないように底部（図示せず）を１点に収斂させることもできる。
彫刻み域３ａ、３ｂの彫刻み深さｔは５マイクロメートルないし２５０マイクロメートルの範囲内にあり、なるべくは５マイクロメートルないし１５０マイクロメートルの範囲内がよい。
【００１８】
また、彫刻み版は凹版印刷版に関する従来の成形技法による複製にも適している。この方法によると、中間段階を通じて且つ複製品のみを版型として使用することにより、彫り刻まれたオリジナルを何回も再生することができる。好適なフランク角と彫刻み深さで彫刻みを行うことは、複製に要求される成形作業と離型作業に対し特に好都合なことが証明された。
【００１９】
図２は２個のインキ域１２ａ、１２ｂを含む印刷画像を有するデータメディア１０の一部の概要を示す。データメディア１０は凹版印刷法を使用して図１の印刷版１で印刷された。印刷工程で、データメディア１０が彫刻み域３ａ、３ｂの中に押し込まれ、データメディア１０の下側１７に、くぼみ１１ａ、１１ｂが永続的に残るようになる。データメディア１０の上面１５はくぼみ１１ａ、１１ｂの領域に隆起部を有し、これらの隆起部は、彫刻み域３ａ、３ｂからデータメディア１０の上面１５により引き上げられたインキ層１３ａ、１３ｂで覆われている。インキ層１３ａ、１３ｂはそれらの表面でインキ域１２ａ、１２ｂを形成する。インキ層１３ａ、１３ｂの厚さＤａ、Ｄｂは印刷されていない基板表面と各インキ域１２ａ、１２ｂの表面との間のレベル差である。境界域Ｂにおいて、インキ層１３ａ、１３ｂの厚さＤａ、Ｄｂは境界線に向かって連続的に減少している。この境界線とは印刷版１の分離縁５の上端縁６である。選ばれるフランク角αおよび彫刻み深さｔにより、より幅広またはより幅狭の境界域Ｂが形成される。フランク角αを適当に選ぶことにより境界域Ｂのインキ層１３ａ、１３ｂの厚さＤａ、Ｄｂは連続的に減少するので、裸眼では認識不可能な薄い色合いの境界線を作ることができる。
【００２０】
理想的には、インキ層１３ａ、１３ｂの厚さＤａ、Ｄｂは境界線において最小厚さが零（ゼロ）になる。しかしながら、認識可能な色彩の混合を起こさずに、インキ域１２ａ、１２ｂを僅かに結合させることができる。図３はこの状態を示している。境界線１６において、インキ域１２ａ、１２ｂが結合している。
【００２１】
インキ層１３ａ、１３ｂを色の異なる印刷インキで構成することができる。これは本発明による印刷版の構成のため、異なる彫刻み域におけるインキの混合が実際には生じないためである。しかしながら、もし同一の半透明の印刷インキが、異なる彫刻み深さｔａ、ｔｂを持つ互いに隣接した彫刻み域３ａ、３ｂに使用される場合、インキ層１３ａ、１３ｂは印刷画像に異なる色合いを発生する。
【００２２】
互いに隣接する彫刻み域は線状または平面状のくぼみで製作可能である。くぼみは、なるべくは、前記分離縁の必要フランク角に一致するフランク角を持った回転式彫刻刀により彫刻まれるのがよい。または、彫刻刀は二つの群を形成する通路に沿って移動させられる。一方の群の曲線または直線は互いに平行に並び且つ他方の群の曲線または直線と一定の間隔で交差する。このようにして、特別に好都合のインキ貯蔵性能を持った格子状の凹凸模様面が作られる。なるべくは、彫刻刀は先をとがらせるか、または彫刻み域の底面に印刷インキの貯留部となる凹凸地模様面を形成させられるような特殊な形状にする。この目的で、彫刻刀は前もって彫り刻んだ通路に平行に一定の短い距離移動させられ、以前に彫り刻んだくぼみがこの距離だけ幅を広げられるようになる。彫刻み深さは５マイクロメートルないし２５０マイクロメートルの範囲内にあり、なるべくは５マイクロメートルないし１５０マイクロメートルの範囲内にあるのが好ましい。
【００２３】
好適なフランク角３０度ないし５０度は、彫刻工具の使用寿命を延長させ、同時に彫り刻んだ印刷版から優秀な印刷結果を生みだすようになる。フランク角３０度の工具は特に精密な線細工および小面積構造物の彫刻み作業に適し、また大面積および大まかな構造物の彫刻み作業にはフランク角４０度ないし５０度の工具が好適である。
【００２４】
１個以上の線状または平面状のくぼみが、模様、図形記号または文字を表す。多数の互いに隣接したくぼみは規則正しい格子を形成し、その結果、形成された印刷画像を均等質に思わせる。それによって、格子が拡大器具を使用してのみ確認できる微細構造が印刷画像の中に作られるようになる。
【図面の簡単な説明】
【図１】印刷版の一部の断面図
【図２】異なるインキ層厚さを有する互いに隣接した２個のインキ層を有するデータメディアの一部の略断面図
【図３】互いに隣接した２個のインキ層を有するデータメディアの一部の断面図
【図１】
0004550282.tif 000002
【図２】
0004550282.tif 000003
【図３】
0004550282.tif 000004